(57)【要約】【課題】  カメラ本体に複数のストロボを内蔵させ、顔やその他の被写体にできる影を小さく、且つ弱くすると共に、ストロボの発光が遮蔽物により遮られることにより発生する露光ミスを防止するカメラを提供すること。【解決手段】  カメラ本体に、互いに撮影レンズを挟むように複数のストロボを設けたことを特徴とするカメラ。【選択図】        図１
2006259107.tif 000002
【特許請求の範囲】
【請求項１】
カメラ本体に、互いに撮影レンズを挟むように複数のストロボを設けたことを特徴とするカメラ。
【請求項２】
前記複数のストロボを選択して発光させる制御手段を有することを特徴とする請求項１に記載のカメラ。
【請求項３】
前記カメラに、撮影者が構えているカメラの縦横方向を検知する縦横検知センサを設け、
前記制御手段は、前記縦横検知センサの検知信号を基に、発光するストロボを選択することを特徴とする請求項２に記載のカメラ。
【請求項４】
ストロボ発光部の前面にある遮蔽物を検知する遮蔽物検知センサを設け、
前記制御手段は前記遮蔽物検知センサの検知信号を基に、前記複数のストロボを選択して発光させることを特徴とする請求項２、又は３に記載のカメラ。
【発明の詳細な説明】
【技術分野】
【０００１】
本発明はストロボを内蔵するカメラに関わる。
【背景技術】
【０００２】
カメラに内蔵されたストロボは、撮影のための照明光量が十分ではない室内撮影等の補助光源として有効に活用されている。
【０００３】
しかしながら、小型のカメラにおいては、撮影レンズと、ストロボの発光位置が接近しているために、人物を撮影したときに、顔に特有の強い反射面と影を生じさせる。
【０００４】
このような、現象を回避するために、本体に内蔵されたストロボとは別に、専用のストロボをカメラに取り付け撮影を行うことが一般に行われている。しかしながら、カメラ本体と共に、専用のストロボを常に携行するということは面倒なものである。
【０００５】
また、カメラに、２つのストロボを設け、カメラと被写体と距離に応じてストロボを使い分ける提案もあるが（例えば、特許文献１参照。）、顔にできる影を小さく、且つ弱くするという点では満足できない場合もある。
【特許文献１】特開平６−２５０２６８号公報（第１−２頁）
【発明の開示】
【発明が解決しようとする課題】
【０００６】
本発明は、上述したような状況に鑑みてなされたもので、カメラ本体に複数のストロボを内蔵させ、顔やその他の被写体にできる影を小さく、且つ弱くすると共に、ストロボの発光が遮蔽物により遮られることにより発生する露光ミスを防止するカメラを提供することにある。
【課題を解決するための手段】
【０００７】
上記課題は、以下の請求項を実現することにより解決される。
（請求項１）
カメラ本体に、互いに撮影レンズを挟むように複数のストロボを設けたことを特徴とするカメラ。
（請求項２）
前記複数のストロボを選択して発光させる制御手段を有することを特徴とする請求項１に記載のカメラ。
（請求項３）
前記カメラに、撮影者が構えているカメラの縦横方向を検知する縦横検知センサを設け、
前記制御手段は、前記縦横検知センサの検知信号を基に、発光するストロボを選択することを特徴とする請求項２に記載のカメラ。
（請求項４）
ストロボ発光部の前面にある遮蔽物を検知する遮蔽物検知センサを設け、
前記制御手段は前記遮蔽物検知センサの検知信号を基に、前記複数のストロボを選択して発光させることを特徴とする請求項２、又は３に記載のカメラ。
【発明の効果】
【０００８】
請求項１に記載の発明によれば、光量が多く、影の発生が少ないストロボを内蔵したカメラが実現される。
【０００９】
請求項２に記載の発明によれば、複数のストロボを内蔵し、その中の必要とするストロボのみを発光させることができるカメラが実現される。
【００１０】
請求項３に記載の発明によれば、撮影者が、カメラを縦位置、あるいは横位置に構えているかを検知して、最適な位置のストロボを選択して発光させることができる。
【００１１】
請求項４に記載の発明によれば、遮蔽物によりストロボ光が遮られることにより引き起こされる露光ミスが防止される。
【発明を実施するための最良の形態】
【００１２】
以下、図を基に本発明の実施の形態を説明する。
【００１３】
図１は本願発明によるカメラＧの概念図である。カメラＧは、撮像素子として、ＣＣＤ、あるいはＣＭＯＳを用いた通常の電子カメラである。
【００１４】
図１（ａ）、（ｃ）はカメラＧの側面図であり、側面の１つにはシャッターボタン４０が設けられている。
【００１５】
図１（ｂ）はカメラＧの背面図であり、液晶である表示手段５０、電源スイッチ６０、中心に押しボタン７１を有する十字キー７０、回転スイッチ８０が設けられている。
【００１６】
図１（ａ）はカメラＧの正面図であり、この面には撮影レンズ１０、ストロボ２１、２２、２３、２４、グリップ３０、測光手段１５が設けられている。図で示すように、カメラＧは、撮影レンズ１０を挟んで１組を構成するストロボを２組有している。各ストロボの近傍には、遮蔽物検知センサ２１０、２２０、２３０、２４０が設けられており、センサの前に光学的遮蔽物があるか否かが検知される。
【００１７】
図２は、カメラＧの制御関係を示すブロック図である。
【００１８】
制御手段Ｃは、ＣＰＵ、メモリＭ、演算ユニットＡ、入出力用インターフェイス、駆動回路からなるコンピュータシステムである。制御手段Ｃは、メモリＭに格納されている当該のプログラムを実行させることにより、所定の制御を行う。なお、本図では、本願発明の説明に直接関係しないブロックの記載を省略している。
【００１９】
図３は、縦横検知センサ９０の概念図である。
【００２０】
縦横検知センサ９０は、回転レバー９１、近接スイッチ９２等から構成される。回転レバーは回転軸９３を中心にして回転可能な磁性を有する金属部材であり、先端部は重力により下方に下がる。近接スイッチ９２は、磁性体が近傍にあるときには磁性体を通る磁路が形成されることにより所定の信号を出力する公知の技術から成る近接スイッチである。縦横検知センサ９３は、カメラＧの本体内部に取り付けられており、図１のように縦位置に構えられている時には、回転レバー９１は図のＸの位置にあり、天地が図１とは逆になるように構えられている時には、Ｚの位置にあり、シャッターボタン４０のある面を上にして構えられている時には、Ｙの位置にある。Ｘ、Ｙ、Ｚの位置を示す信号は、制御手段Ｃに送られ、カメラＧの構えが判定される。
【００２１】
図４は、撮影時のカメラＧの動作の流れを示すフローチャートである。
【００２２】
先ず、撮影者は、カメラＧの電源をオンにして（ステップＳ１）、カメラＧを構えて、表示手段５０により撮影対象を見ながら構図を決定する（ステップＳ２）。構図が決定すると、撮影者はシャッターボタン４０を押す（ステップＳ３）。シャッターボタン４０が押されると、測光手段１５により測光が行われ、制御手段Ｃは撮影に適当な光量を確保するための露光条件、即ち、撮影レンズの絞り、シャッター速度を決定する（ステップＳ４）。また、ストロボを発光させる必要があると決定された場合には（ステップＳ５：Ｙ）、発光させるストロボが選択され、発光のための設定がなされる（ステップＳ６）。設定が終了するとシャッターが作動して（ステップＳ７）、発光するストロボが選択され、その設定されていた場合には、選択されていたストロボが発光し、所定の被写体の画像が制御手段ＣのメモリＭに取り込まれる（ステップＳ８）。
【００２３】
図５は、図４のフローチャートのステップＳ６を詳細に示すフローチャートである。
【００２４】
測光手段１５からの信号を基に、制御手段Ｃは、被写体の明るさに対応して、絞り、シャッター速度、ストロボの発光の必要性可否を決定するが、ストロボを発光させるという決定がされた場合（図４のステップＳ５：Ｙ）、次のような流れの処理が行われる。
【００２５】
先ず、全てのストロボを発光させる必要があるかが判定され（ステップＳ１０）、全てのストロボを発光させる必要がある場合には（ステップＳ１０：Ｙ）、全てのストロボが選択され、発光の設定がなされる（ステップＳ１１）。
【００２６】
全てのストロボを発光させる必要がない場合には（ステップＳ１０：Ｎ）、撮影者が構えているカメラＧの方向を制御手段Ｃが、縦横検知センサ９０からの信号を基に判定する（ステップＳ１２）。
【００２７】
カメラＧが図１で示すように、即ち、縦横検知センサ９３がＸ位置にある場合には（ステップＳ１２：Ｘ）、ストロボ２１、２４が選択される（ステップＳ１３）。同様にして、縦横検知センサ９３がＹ位置にある場合には、ストロボ２１、２４が、縦横検知センサ９３がＺ位置にある場合にはストロボ２２、２３が選択される。即ち、撮影レンズを挟んだ位置にある２つのストロボを発光させることにより、派生する影の面積と、影の強さを減少させている。
【００２８】
なお、図４、及び図５のフローチャートに記載はしていないが、構えられたカメラＧ位置と選択されるストロボとの関係は、回転スイッチ８０によりストロボ選択モードを選択して、所定のプログラムを実行させ、表示手段５０に表示された文字と画像を参照しながら十字キー７０により設定の変更をすることができる。また、縦横検知センサ９０の検知結果を参照せずに特定位置のストロボを発光させるような設定をすることもできる。
【００２９】
もし、選択されたストロボに近接して設けられている遮蔽物検知センサ２１０、２２０、２３０、２４０の中のいずれかが、何らかの遮蔽物を検知しており、選択されたストロボに対応するものであった場合には（ステップＳ１６：Ｙ）、ストロボの前面に遮蔽物があると判定して、選択されていたストロボとは異なる他の２つのストロボが再選択される（ステップＳ１７）。
【００３０】
再選択されたストロボの前面にも遮蔽物がある場合には（ステップＳ１８：Ｙ）、制御手段Ｃは警告音と、警告表示と出力する（ステップＳ１９）。
【００３１】
以上、説明したようなカメラＧにより、顔やその他の被写体にできる影の面積が少なく、且つ影が弱められた顔画像を得ることができ、且つ、撮影時にストロボ光が遮蔽物により遮られることによる露光の失敗が減少させることができる。なお、本実施の形態では、ストロボを前提に説明したが、ＬＥＤ、ＥＬ等の他の照明手段を有するカメラであっても同様な効果を発揮することができる。
【図面の簡単な説明】
【００３２】
【図１】カメラの概念図である。
【図２】制御関係を示すブロック図である。
【図３】縦横検知センサの概念図である。
【図４】カメラの動作の流れを示すフローチャートである。
【図５】ステップＳ６の詳細フローチャートである。
【符号の説明】
【００３３】
１０  撮影レンズ
１５  測光手段
２１〜２４  ストロボ
３０  グリップ
４０  シャッターボタン
５０  表示手段
６０  電源スイッチ
７０  十字キー
８０  回転スイッチ
９０  縦横検知センサ
２１０、２２０、２３０、２４０  遮蔽物検知センサ
Ｃ  制御手段
Ｇ  カメラ
【図１】
2006259107.tif 000003
【図２】
2006259107.tif 000004
【図３】
2006259107.tif 000005
【図４】
2006259107.tif 000006
【図５】
2006259107.tif 000007